(57)【要約】【課題】  鏡台に取り付けた撮像装置を携帯電話等によって操作することで、その撮像装置で撮像した画像を、携帯端末で確認することが可能な、遠隔操作する撮像装置付きの鏡台を提供することを目的とする。【解決手段】  略中央部付近に少なくとも一枚以上の鏡を抱持する枠体と、枠体を支持する支持体とを備える、遠隔操作する撮像装置付きの鏡台であって、通信装置と制御装置と撮像装置とを少なくとも有しており、通信装置は、ユーザの利用する携帯端末との間で情報の送受信を行い、制御装置は、撮像開始の制御指示を携帯端末または遠隔操作装置から通信装置で受け取ると、撮像装置に対して、撮像を行う制御指示を送出し、撮像装置は、制御装置から撮像を行う制御指示を受け取ると、撮像装置のレンズでユーザの撮像を行い、制御装置は、撮像装置で撮像した画像を、通信装置を介して、携帯端末に送信する、遠隔操作する撮像装置付きの鏡台である。【選択図】  図１
2012005110.tif 000002
【特許請求の範囲】
【請求項１】
略中央部付近に少なくとも一枚以上の鏡を抱持する枠体と、前記枠体を支持する支持体とを備える、遠隔操作する撮像装置付きの鏡台であって、
通信装置と制御装置と撮像装置とを少なくとも有しており、
前記通信装置は、ユーザの利用する携帯端末との間で情報の送受信を行い、
前記制御装置は、撮像開始の制御指示を前記携帯端末または前記遠隔操作装置から前記通信装置で受け取ると、前記撮像装置に対して、撮像を行う制御指示を送出し、
前記撮像装置は、前記制御装置から前記撮像を行う制御指示を受け取ると、前記撮像装置のレンズで前記ユーザの撮像を行い、
前記制御装置は、前記撮像装置で撮像した画像を、前記通信装置を介して、前記携帯端末に送信する、
ことを特徴とする遠隔操作する撮像装置付きの鏡台。
【請求項２】
前記撮像装置は、
前記通信装置で前記撮像開始の制御指示を受け取ってから所定時間経過後に、前記レンズで前記ユーザの撮像を行う、
ことを特徴とする請求項１に記載の遠隔操作する撮像装置付きの鏡台。
【請求項３】
前記枠体は、
一つの面に、鏡像を写す第１の鏡と、前記第１の鏡とは異なる面に、左右反転鏡である第２の鏡とを備えており、
前記撮像装置のレンズは、前記第２の鏡を備える枠体の面に備えられている、
ことを特徴とする請求項１または請求項２に記載の遠隔操作する撮像装置付きの鏡台。
【請求項４】
前記撮像装置のレンズは、
前記枠体において前記鏡と同一面に備えられている、
ことを特徴とする請求項１または請求項２に記載の遠隔操作する撮像装置付きの鏡台。
【請求項５】
前記撮像装置のレンズは、
前記鏡の一部または前記鏡の裏面側に備えられている、
ことを特徴とする請求項１または請求項２に記載の遠隔操作する撮像装置付きの鏡台。
【請求項６】
前記遠隔操作する撮像装置付きの鏡台は、さらに照明装置を有しており、
前記制御装置は、
前記撮像装置の撮像のタイミングに合わせて、前記照明装置を点灯させる制御指示を前記照明装置に送出する、
ことを特徴とする請求項１から請求項５のいずれかに記載の遠隔操作する撮像装置付きの鏡台。
【請求項７】
前記遠隔操作する撮像装置付きの鏡台は、さらに送風装置を有しており、
前記制御装置は、
前記撮像装置で撮像を行うタイミングよりも前に、前記送風装置から送風を開始させる制御指示を前記送風装置に送出する、
ことを特徴とする請求項１から請求項６のいずれかに記載の遠隔操作する撮像装置付きの鏡台。
【請求項８】
前記鏡はハーフミラーであり、
前記遠隔操作する撮像装置付きの鏡台は、前記鏡よりも後方に、撮像開始までの時間を表示する第２の照明装置をさらに備えており、
前記制御装置は、
前記撮像装置で撮像を開始するまでの時間を前記第２の照明装置で表示させることで、前記撮像開始までの時間を前記ハーフミラーで映す、
ことを特徴とする請求項１から請求項７のいずれかに記載の遠隔操作する撮像装置付きの鏡台。
【請求項９】
前記撮像装置のレンズとして少なくとも２つのレンズを備えている、
ことを特徴とする請求項１から請求項８のいずれかに記載の遠隔操作する撮像装置付きの鏡台。
【請求項１０】
前記撮像装置は前記鏡台と着脱可能である、
ことを特徴とする請求項１から請求項９のいずれかに記載の撮像装置付きの鏡台。
【請求項１１】
前記遠隔操作する撮像装置付きの鏡台は、さらにデジタル体重計と情報の送受信が可能であり、
前記制御装置は、
前記デジタル体重計で計測したユーザの人体計測情報また計測中であることを示す情報を前記デジタル体重計から前記鏡台が受け取ると、前記撮像装置に対して撮像を行う制御指示を送出する、
ことを特徴とする請求項１から請求項９のいずれかに記載の遠隔操作する撮像装置付きの鏡台。
【発明の詳細な説明】
【技術分野】
【０００１】
本発明は、鏡台に取り付けた撮像装置を携帯電話等の携帯端末や遠隔操作装置によって操作することで、その撮像装置で撮像した画像を、携帯端末で確認することが可能な、遠隔操作する撮像装置付きの鏡台に関する。
【背景技術】
【０００２】
携帯電話、ＰＨＳ、スマートフォン（以下、「携帯端末」という）などには小型の撮像装置（カメラ）が取り付けられている。この携帯端末の撮像装置を用いて、自らを撮像する、いわゆる「自分撮り」が行われることがある。「自分撮り」はさまざまな目的で行われ、たとえば自分の写真を撮りほかの人に送りたい場合、相手から見た自分の外見を確認したい場合、などの目的がある。
【０００３】
「自分撮り」を行う場合には、撮像装置を持った手を伸ばし、撮像装置のレンズを自らに向けて撮像を行う。あるいはセルフタイマーなどを設定し、携帯端末の撮像装置で自らを撮像する。
【０００４】
手を伸ばして撮像を行う場合には、撮像範囲が手の届く範囲に限られてしまう。またセルフタイマーを設定して撮像する場合には、撮像範囲を確認、修正した上でセルフタイマーを設定しなければならず、手間がかかってしまう。
【０００５】
そこで下記特許文献１乃至特許文献３に示すように、ドレッサーやテレビなどに撮像装置のレンズを備え、撮像装置で撮像した画像を、ドレッサーやテレビなどの表示装置で表示させるシステムが存在する。
【先行技術文献】
【特許文献】
【０００６】
【特許文献１】特開平５−１９２２３３号公報
【特許文献２】特開２００２−１８３３１５号公報
【特許文献３】実用新案登録第３１５４５２９号公報
【発明の概要】
【発明が解決しようとする課題】
【０００７】
上記の各特許文献では、ドレッサー、テレビ受像器、携帯電話機、電子鏡、洗面台などに撮像装置のレンズを取り付ける。またドレッサー、テレビ受像器、携帯電話機、電子鏡、洗面台などにはいずれも当該撮像装置のレンズで撮像した画像が表示可能な表示装置を備えている。そして撮像装置で自らを撮像し、その画像を表示装置で表示させる。これによって、上述したような問題点、すなわち、自分撮りをする場合に撮像範囲が手の届く範囲に限られる点、セルフタイマーの設定に負担がある点を解消することができる点で有益である。
【０００８】
しかしいずれも撮像装置で撮像した画像を表示するための表示装置を、ドレッサー、テレビ受像器、携帯電話機、電子鏡、洗面台などに備えなければならない。もともと表示装置を備えているテレビ受像器や携帯電話機、電子鏡であれば問題がないが、ドレッサーや洗面台には通常、表示装置ではなく、鏡が取り付けられていることから、鏡の代わりに表示装置を備えなければならない。そうすると、鏡を利用することができなくなってしまう。また表示装置は鏡よりも通常は高価なので、価格も高くならざるを得ない。
【０００９】
通常、撮像装置で自らを撮像した画像は相手から見た状態の像である。従って、それを表示装置で表示させると、左右が反対に表示される。そのためその状態で、ドレッサーやテレビ受像器、携帯電話機、電子鏡、洗面台などを利用して化粧などをする場合には、通常見ている鏡像とは左右が逆であることから、そのままでは極めて利用しにくい。それを解消するためには、表示装置で表示している像を鏡像に左右反転する処理が必要である。
【課題を解決するための手段】
【００１０】
そこで本発明者は上記課題に鑑み、より簡便に自分撮りができる、遠隔操作する撮像装置付きの鏡台を発明した。
【００１１】
第１の発明は、略中央部付近に少なくとも一枚以上の鏡を抱持する枠体と、前記枠体を支持する支持体とを備える、遠隔操作する撮像装置付きの鏡台であって、通信装置と制御装置と撮像装置とを少なくとも有しており、前記通信装置は、ユーザの利用する携帯端末との間で情報の送受信を行い、前記制御装置は、撮像開始の制御指示を前記携帯端末または前記遠隔操作装置から前記通信装置で受け取ると、前記撮像装置に対して、撮像を行う制御指示を送出し、前記撮像装置は、前記制御装置から前記撮像を行う制御指示を受け取ると、前記撮像装置のレンズで前記ユーザの撮像を行い、前記制御装置は、前記撮像装置で撮像した画像を、前記通信装置を介して、前記携帯端末に送信する、遠隔操作する撮像装置付きの鏡台である。
【００１２】
本発明のように構成することで、従来の特許文献よりもより簡便に自分撮りを行うことができる。また鏡台に表示装置を用いないので、安価に鏡台を構成することもできる。
【００１３】
上述の発明において、前記撮像装置は、前記通信装置で前記撮像開始の制御指示を受け取ってから所定時間経過後に、前記レンズで前記ユーザの撮像を行う、遠隔操作する撮像装置付きの鏡台のように構成することもできる。
【００１４】
携帯端末で撮像開始のボタンを押下している時点では、まだ携帯端末を手に持っている。そのため、ポーズが完全には取れない。そこで本発明のように構成することで、ユーザに、ポーズを完全に取るための時間的余裕を与えることができる。
【００１５】
上述の発明において、前記枠体は、一つの面に、鏡像を写す第１の鏡と、前記第１の鏡とは異なる面に、左右反転鏡である第２の鏡とを備えており、前記撮像装置のレンズは、前記第２の鏡を備える枠体の面に備えられている、遠隔操作する撮像装置付きの鏡台のように構成することもできる。
【００１６】
撮像装置で撮像できるのは相手からユーザを見た状態である。一方、通常の鏡でポーズを取ったとしても、それは左右反転した状態であり、実際とは印象が異なる可能性がある。そこで、左右反転鏡と通常の鏡の双方を備え、左右反転鏡と同一の面に、撮像装置のレンズを備える。これにより、ユーザは、撮像装置で撮像するのと同じ状態を左右反転鏡で確認した上で、それをそのまま撮像できる。一方、左右反転鏡のみでは、鏡としての日常の使い勝手は良くない。そこで、本発明の構造とすることで、両方の要望を満たすことができる。
【００１７】
上述の発明において、前記撮像装置のレンズは、前記枠体において前記鏡と同一面に備えられている、撮像装置付きの鏡台のように構成することもできる。また、前記撮像装置のレンズは、前記鏡の一部または前記鏡の裏面側に備えられている、撮像装置付きの鏡台のように構成することもできる。
【００１８】
このように撮像装置のレンズは、所望の位置に取り付けることができる。鏡と同一面に備えている場合には、鏡に映った状態で視線を移動させるだけで、撮像と通常の鏡の使用状態を確保することができる。鏡の一部にレンズを取り付ける場合には、視線を移動させることなく、撮像を行うことができる。また鏡の裏面に設ける場合には、鏡を透過して撮像することができるので、レンズの存在を意識させることなく、撮像することができる。
【００１９】
上述の発明において、前記遠隔操作する撮像装置付きの鏡台は、さらに照明装置を有しており、前記制御装置は、前記撮像装置の撮像のタイミングに合わせて、前記照明装置を点灯させる制御指示を前記照明装置に送出する、遠隔操作する撮像装置付きの鏡台のように構成することもできる。
【００２０】
本発明のように構成することで、照明装置をいわゆるフラッシュとして利用することができる。
【００２１】
上述の発明において、前記遠隔操作する撮像装置付きの鏡台は、さらに送風装置を有しており、前記制御装置は、前記撮像装置で撮像を行うタイミングよりも前に、前記送風装置から送風を開始させる制御指示を前記送風装置に送出する、遠隔操作する撮像装置付きの鏡台のように構成することもできる。
【００２２】
本発明のように構成することで、髪がなびいた状態で撮像を行うことができる。
【００２３】
上述の発明において、前記鏡はハーフミラーであり、前記遠隔操作する撮像装置付きの鏡台は、前記鏡よりも後方に、撮像開始までの時間を表示する第２の照明装置をさらに備えており、前記制御装置は、前記撮像装置で撮像を開始するまでの時間を前記第２の照明装置で表示させることで、前記撮像開始までの時間を前記ハーフミラーで映す、遠隔操作する撮像装置付きの鏡台のように構成することもできる。
【００２４】
本発明のように構成することで、ポーズを取っているユーザは、撮像開始までの残り時間を認識することができる。
【００２５】
上述の発明において、前記撮像装置のレンズとして少なくとも２つのレンズを備えている、遠隔操作する撮像装置付きの鏡台のように構成することもできる。
【００２６】
本発明のように構成することで、３Ｄ画像のもととなる２つの画像を同時に撮像することができる。
【００２７】
上述の発明において、前記撮像装置は前記鏡台と着脱可能である、撮像装置付きの鏡台のように構成することもできる。
【００２８】
本発明のように構成することで、撮像装置と鏡台とが一体不可分ではなくなり、すでに所有している撮像装置を利用することも可能となる。
【００２９】
上述の発明において、前記遠隔操作する撮像装置付きの鏡台は、さらにデジタル体重計と情報の送受信が可能であり、前記制御装置は、前記デジタル体重計で計測したユーザの人体計測情報また計測中であることを示す情報を前記デジタル体重計から前記鏡台が受け取ると、前記撮像装置に対して撮像を行う制御指示を送出する、遠隔操作する撮像装置付きの鏡台のように構成することもできる。
【００３０】
本発明のように構成することで、日々の体調管理を画像として記録することもできる。
【発明の効果】
【００３１】
本発明の遠隔操作する撮像装置付きの鏡台を用いることにより、従来の特許文献に記載の発明のように、表示装置を用いずとも、自分撮りを行う際の問題点、すなわち撮像範囲が手の届く範囲に限られる点、セルフタイマーの設定に負担がある点を解消することが可能となる。また表示装置を用いないので、安価に製作することもできる。
【図面の簡単な説明】
【００３２】
【図１】本発明の遠隔操作する撮像装置付きの鏡台の一例を模式的に示す斜視図である。
【図２】本発明の遠隔操作する撮像装置付きの鏡台に備えられる装置のブロック図を模式的に示す図である。
【図３】本発明の遠隔操作する撮像装置付きの鏡台を用いた撮像処理の処理プロセスの一例を示すフローチャートである。
【図４】通常の鏡と左右反転鏡とを備えた、遠隔操作する撮像装置付きの鏡台の一例を模式的に示す斜視図である。
【図５】通常の鏡と左右反転鏡とを備えた、遠隔操作する撮像装置付きの鏡台の一例を模式的に示す側面図である。
【図６】通常の鏡と左右反転鏡とを備えた、遠隔操作する撮像装置付きの鏡台の一例を模式的に示す上方からの平面図である。
【図７】撮像装置のレンズを２つ備えた、遠隔操作する撮像装置付きの鏡台の一例を模式的に示す斜視図である。
【図８】本発明の、遠隔操作する撮像装置付きの鏡台と体重計とを連動させた場合の一例を模式的に示す図である。
【図９】本発明の、遠隔操作する撮像装置付きの鏡台と携帯端末とを用いて自分撮りを行う場合の全体を模式的に示す図である。
【発明を実施するための形態】
【００３３】
本発明の、遠隔操作する撮像装置付きの鏡台１（以下、単に「鏡台１」という）の一例を模式的に図１に示す。図２に鏡台１に備えられる各種装置のブロック図を模式的に示す。本発明の鏡台１は、鏡４を抱持する枠を形成する枠体２と、その枠体２を支持する支持体３とを有しており、支持体３の上面に枠体２が取り付けられている。枠体２の概略中央部付近には鏡４がはめ込まれている。図１に示すように、枠体２は支持体３に垂直に取り付けられていても良いし、枠体２と支持体３との接合部分を支点として、若干、後方に傾けられて取り付けられていても良い。この場合、鏡４が若干、斜め上方を向くので、鏡４に映る像の視認性が高まる。また枠体２を支持体３に固定するのではなく、枠体２と支持体３との接合部分を支点として枠体２と支持体３との角度が変えられるように、角度調整機構を備えていても良い。
【００３４】
図１では支持体３として台（支持台）である場合を示しているが、枠体２を支持できる機構であればいかなるものでも良く、たとえば紐のようなものであっても良い。この場合には、鏡４（枠体２）を取り付けたいと所望する箇所に、釘やネジなどの突起物や絵画などを吊り下げる吊下具を設置し、そこに枠体２の上方裏面に取り付けられた支持体３である紐を通すことで、鏡４（枠体２）を支持する（吊下げる）ことができる。また鏡４（枠体２）を壁や何らかの装置（例えば自動販売機）などに埋め込むことでも良く、この場合には、壁や装置の筐体が枠体２および支持体３を構成することとなる。
【００３５】
枠体２は四角形であることが好ましいが、円形、楕円形などそれ以外の形状であっても良い。
【００３６】
枠体２の上部には、その中心付近にレンズ用の孔部が設けられており、レンズ用の孔部の左右には照明装置用の孔部が設けられる。また枠体２の下方の中心付近には送風装置用の孔部が設けられており、送風装置用の孔部の左右には音出力装置用の孔部が設けられている。
【００３７】
枠体２の上面中心付近におけるレンズ用の孔部には、後述する撮像装置２１のレンズ５が取り付けられる。また照明装置用の孔部には照明装置６が取り付けられる。また送風装置用の孔部には送風装置８が取り付けられる。さらに音出力装置用の孔部には音出力装置７が取り付けられる。なお送風装置８としては一般的な送風機能を有する装置を用いればよい。
【００３８】
枠体２に取り付けられる各種装置の通信線、電力線などは枠体２の内部に、適宜、通せば良い。
【００３９】
照明装置６は枠体２の上方にレンズ５を挟んで少なくとも２つ以上備えていることが好ましい。また照明装置６としては、蛍光灯のほか、ＬＥＤライトなども用いることができる。
【００４０】
枠体２の下方に備えられた送風装置８は、下方の概略中央部付近に備えられていることが好ましく、送風装置８の両脇には音出力装置７としてスピーカーが備えられる。
【００４１】
なお枠体２において、照明装置６、送風装置８、レンズ５は鏡４と同一面に備えることが好ましい。
【００４２】
鏡４の左隅付近には計時装置９が備えられている。計時装置９としては時計であることがよいが、それに限定されるものではない。鏡４は銀メッキなどから構成される反射膜と、ガラスなどの表面とから構成されている。この鏡４をハーフミラーとすることによって、鏡４よりも後方（たとえば鏡４の背面）に設置したＬＥＤライトなどにより時刻が表示されるように構成しても良い。ハーフミラーの構造としては、金属ハーフミラー、誘導体ハーフミラーなどを用いることができる。また、鏡４をハーフミラーとして、ＬＥＤライトにより反射膜の裏側から時刻を表示させるのではなく、鏡４の一部を計時装置９の形状に合わせ、そこに通常の計時装置９を取り付けてもよい。
【００４３】
同様に鏡４の右隅付近には報知装置１０が備えられている。報知装置１０は、少なくともコイルとＬＥＤライトとダイオードとコンデンサとを備えている。報知装置１０のＬＥＤライトは、計時装置９と同様に、鏡４の裏側から表示してもよいし、鏡４の表面に取り付けられていてもよい。報知装置１０のコイルは、鏡台１から所定範囲内に存在する携帯端末３０のアンテナから発せられる微弱電波を検出する。そしてコイルに微弱電波が流れると、電流が発生する。それをダイオードとコンデンサとにより調節し、ＬＥＤライトを発光させる。これによって、鏡台１の近くに置かれている携帯端末３０に着信などがあった場合に、報知装置１０のＬＥＤライトが発光するので、それを容易に視認することができる。
【００４４】
また枠体２の側面にはＵＳＢ端子１１などが備えられていることが好ましい。このＵＳＢ端子１１に携帯音楽プレイヤーや携帯端末３０の接続端子を挿入することで音出力装置７から音楽を再生することができる。またＵＳＢ端子１１とすることによって、携帯端末３０の充電機能などにも利用することができる。
【００４５】
枠体２の正面下方には携帯端末３０と無線通信を行うための通信装置１２が備えられていることが好ましい。通信装置１２における通信方法としては、赤外線通信、ブルートゥース（２．４ＧＨｚ帯の電波を利用した無線通信）などがあるが、それらに限定されるものではない。
【００４６】
枠体２の内側には、枠体２に取り付けられている各装置、撮像装置２１、照明装置６、送風装置８、音出力装置７、計時装置９、報知装置１０、通信装置１２などを制御するための制御装置２０を備えている。制御装置２０は、たとえばＣＰＵなどの演算装置、ＲＡＭやＲＯＭなどの記憶装置などにより構成されている。この制御装置２０から制御指示が各装置に送出されることで、各装置が制御される。なお図示していないが、鏡台１には各種の装置を駆動させるための電源部を備えておき、そこから電源の供給を受けることで駆動する。
【００４７】
なお上述した各装置およびその装置を枠体２に取り付けるための孔部は上述した箇所に限定されるものではなく、その目的に応じて、枠体２の任意の箇所に設けることができる。また全ての各装置を取り付ける必要もなく、適宜に取捨選択可能である。また枠体２に取り付けるほか、支持体３に取り付けても良い。
【実施例１】
【００４８】
次に本発明の鏡台１と携帯端末３０とを用いて自分撮りをする場合の処理を図３のフローチャートを用いて説明する。また図９に、本発明の鏡台と携帯端末とを用いて自分撮りを行う場合の全体を模式的に示す。
【００４９】
まず携帯端末３０の所持者（ユーザ）は、所定の方法により、インターネット上のウェブサイトにアクセスすることで、鏡台１の撮像装置２１などの各種装置を遠隔操作するための制御ソフトウェアをダウンロードする（Ｓ１００）。携帯端末３０にダウンロードしてインストールした制御ソフトウェアによる制御は携帯端末３０から鏡台１に送信され、鏡台１の制御装置２０に備えられた制御ソフトウェアでその処理を実行する。なお鏡台１の制御装置２０に備えた制御ソフトウェアは、鏡台１の出荷時から制御装置２０に記憶されていることが好ましいが、ダウンロードなどにより記憶されても良い。また制御装置２０の制御ソフトウェアは、鏡台１に備えられた各装置を制御するが、この制御は、各装置で行われても良い。
【００５０】
携帯端末３０の制御ソフトウェアは、ダウンロードするのではなく、半導体記憶装置などに記憶されており、それを読み込んでもよいし、あるいは携帯端末３０に最初から記憶されていてもよい。また、本実施例では鏡台１の撮像装置２１の制御のために、携帯端末３０の制御ソフトウェアで制御する場合を説明するが、それに限定されずに、鏡台１の有線または無線で通信が可能な遠隔操作装置（リモコン）で鏡台１の撮像装置２１を制御できても良い。この場合、遠隔操作装置には、遠隔操作装置に対して所定の操作を行えば（ボタンを押す、特定の動作をする、音声を発するなど）、あらかじめ鏡台１の撮像装置２１の制御プログラム（撮像開始の制御指示を鏡台１に送信するプログラム）により、撮像開始の制御指示が遠隔操作装置から鏡台１に送信され、Ｓ１５０以降の処理を実行する）。
【００５１】
ユーザは、携帯端末３０に記憶する制御ソフトウェアを携帯端末３０で起動する（Ｓ１１０）。
【００５２】
そして最初の起動の場合には（Ｓ１２０）、まず携帯端末３０を鏡台１に登録する処理を実行する（Ｓ１３０）。具体的には、たとえば携帯端末３０の記憶装置に記憶されている携帯端末３０の識別情報（たとえばＳＩＭカードの識別情報）を携帯端末３０から鏡台１に送信することで、鏡台１の通信装置１２を介して制御装置２０がそれを受信し、鏡台１の制御装置２０で当該携帯端末識別情報を記憶する。なお携帯端末識別情報としては、ＳＩＭカードの識別情報のほか、端末固有の識別情報、電話番号、ユーザが任意に設定する識別情報など、さまざまな情報を用いることができる。
【００５３】
すでに携帯端末３０を鏡台１に登録している場合（２回目以降の場合）には（Ｓ１２０）、Ｓ１１０で携帯端末３０で制御ソフトウェアが起動した後で、携帯端末３０に記憶している携帯端末識別情報を携帯端末３０から鏡台１の通信装置１２に送信することで、制御装置２０が携帯端末３０の認証処理を実行する（Ｓ１４０）。具体的には携帯端末３０から受信した携帯端末識別情報と、Ｓ１３０において鏡台１の制御装置２０で記憶した携帯端末識別情報とを制御装置２０が比較し、一致するかを判定する。
【００５４】
制御装置２０が一致することを判定した場合には、制御装置２０が、携帯端末３０の認証が正常に終了したことを示す制御指示を、通信装置１２を介して携帯端末３０に送信し、携帯端末３０でその制御指示を受け取ることで、携帯端末３０の制御ソフトウェアの処理を実行可能とする。また制御装置２０が一致しないことを判定した場合には、当該携帯端末３０は鏡台１に登録されていないので、制御装置２０は、携帯端末３０が登録されていないことを制御指示を通信装置１２を介して携帯端末３０に送信する。そして携帯端末３０でその制御指示を受け取ることで、携帯端末３０の制御ソフトウェアは、携帯端末３０の登録処理を行うように促すメッセージを表示する。そしてＳ１３０の処理を実行する。
【００５５】
Ｓ１３０において携帯端末３０を登録した後、またはＳ１４０において携帯端末３０の認証処理が正常に行われた後、当該携帯端末３０により鏡台１の撮像装置２１の遠隔操作が可能となる。なお、Ｓ１３０の携帯端末３０の登録処理、Ｓ１４０の認証処理は行わなくても良い。その場合、携帯端末３０で制御ソフトウェアが起動すると、そのまま操作が可能となる。
【００５６】
ユーザは携帯端末３０の制御ソフトウェアから、鏡台１の撮像装置２１の遠隔操作を行う機能を呼び出す。そしてユーザは、鏡台１の鏡４の前で自らが被写体となる場合のポーズなどを取りながら、鏡４に映った自らのポーズを確認する。そして撮像を開始する場合には、ユーザは、撮像を開始することを示すボタンを携帯端末３０で押下することで（Ｓ１５０）、撮像開始の制御指示が携帯端末３０から鏡台１の通信装置１２に送信される。なお、携帯端末３０のボタンで撮像を開始することを指示しなくても、たとえば音声で所定のキーワードを話すことで、それを携帯端末３０で認識し、携帯端末３０が、撮像開始の制御指示を鏡台１に送信しても良い。
【００５７】
撮像開始の制御指示を通信装置１２を介して受け取った鏡台１の制御装置２０は、撮像装置２１に対して撮像を行う制御指示を送出する。この制御指示により撮像装置２１は、鏡台１の枠体２上部に取り付けられたレンズ５で撮像する（Ｓ１６０）。
【００５８】
このようにして撮像装置２１が撮像した画像を、制御装置２０は、通信装置１２を介して携帯端末３０に送信する（Ｓ１７０）。そしてユーザは、携帯端末３０の画面で、Ｓ１６０で撮像した画像を確認する（Ｓ１８０）。ユーザは、必要に応じて、携帯端末３０で受信した画像（Ｓ１６０で撮像した画像）を記憶することもできる。
【００５９】
以上のような処理によって、携帯端末３０のユーザは、鏡台１の枠体２に取り付けられた撮像装置２１のレンズ５で撮像した画像を携帯端末３０で確認することができる。また自らが手を伸ばして携帯端末３０の撮像装置２１で撮像を行わず、鏡台１の撮像装置２１で撮像できることから、撮像範囲が広がり、またポーズの自由度も高まる。
【００６０】
またＳ１５０でユーザが携帯端末３０の撮像を開始するボタンを押下したあと、すぐに鏡台１の撮像装置２１が撮像を開始してもよいが、鏡台１が携帯端末３０から撮像開始の制御指示を受信してから所定時間経過後に、撮像装置２１が撮像を行っても良い。具体的には、通信装置１２を介して撮像開始の制御指示を受け取ると、制御装置２０が撮像装置２１に撮像を行う制御指示を送出する。撮像装置２１は制御装置２０から撮像を行う制御指示を受け取った後、所定時間経過した後（たとえば２秒後、５秒後など）に撮像を行う。あるいは通信装置１２を介して携帯端末３０から撮像開始の制御指示を制御装置２０が受け取ってから、所定時間経過した後、制御装置２０が撮像装置２１に対して撮像を行う制御指示を送出することで、撮像装置２１が撮像を行っても良い。
【００６１】
これはボタンを押下した直後は、ポーズを決めることができないので（携帯端末３０を操作しているので）、ポーズを決めるための猶予を与えるためである。この所定時間の間隔は任意に設定可能である。
【００６２】
鏡４がハーフミラーの場合、鏡４の後方（たとえば鏡４の背面）に撮像開始までの秒数（初期値は上記の所定時間）を表示するためのＬＥＤライトを設置しておき、制御装置２０が撮像装置２１に撮像を行う制御指示を送出すると（あるいは通信装置１２を介して制御装置２０が撮像開始の制御指示を受け取ると）、撮像開始までの秒数が鏡４に映るように（鏡４を透過して視認できるように）、制御装置２０がＬＥＤライトを制御しても良い。これによって、ユーザは鏡４を透過して映る、撮像開始までの秒数を視認することができる。このＬＥＤライトとして、計時装置９のＬＥＤライトを用いても良い。
【００６３】
たとえば、制御装置２０が撮像装置２１に撮像を行う制御指示を送出してから５秒後（上記の所定時間の初期値）に撮像装置２１が撮像を行うとする。この場合、携帯端末３０からの撮像開始の制御指示を、制御装置２０は通信装置１２を介して受信する。そして制御装置２０は、撮像装置２１に対して、撮像を行う制御指示を送出する。この制御指示を受け取った撮像装置２１は、５秒間（上記の所定時間）待機する。また制御装置２０は、撮像を行う制御指示の送出とともに、ハーフミラーの後方にあるＬＥＤライトで、撮像開始までの秒数である５秒を表示させる。そして、制御装置２０は１秒経過ごとに、つまり、４秒、３秒、２秒、１秒、とＬＥＤライトの表示を制御する。これによって、ユーザは、撮像が行われるまでの残り時間を、鏡４に映った（透過した）秒数で視認できる。そして、撮像装置２１は、撮像を行う制御指示を受け取ってから５秒経過すると、撮像を行う。この際には、制御装置２０はＬＥＤライトの表示を０秒とする、あるいは表示を消す、などの制御を行えば良い。
【００６４】
また、通信装置１２を介して撮像開始の制御指示を受け取ってから５秒後（上記の所定時間の初期値）に撮像装置２１が撮像を行う場合には、次の通りとなる。まず携帯端末３０からの撮像開始の制御指示を、制御装置２０は通信装置１２を介して受信する。この制御指示を受け取ることで、制御装置２０は、撮像装置２１に対して撮像を行う制御指示を送出するのを５秒間待機する。また、制御装置２０は、撮像開始の制御指示を通信装置１２を介して受信すると、ハーフミラーの後方にあるＬＥＤライトで、撮像開始までの秒数である５秒を表示させる。そして、制御装置２０は１秒経過ごとに、つまり、４秒、３秒、２秒、１秒、とＬＥＤライトの表示を制御する。これによって、ユーザは、撮像が行われるまでの残り時間を、鏡４に映った（透過した）秒数で視認できる。そして、制御装置２０は、撮像開始の制御指示を受け取ってから５秒間経過すると、撮像装置２１に対して、撮像を行う制御指示を送出する。この制御指示を受け取った撮像装置２１は、撮像を行う。そしてその撮像と同時にあるいはほぼ同時に、制御装置２０はＬＥＤライトの表示を０秒とする、あるいは表示を消す、などの制御を行えば良い。
【００６５】
なおハーフミラーである鏡４の後方にＬＥＤライトを設置し、そこで撮像開始までの秒数を表示するのではなく、制御装置２０は撮像開始までの秒数を、音出力装置７から音声データで出力しても良い。この場合、撮像装置２１は、ＬＥＤライトの表示制御の代わりに、音出力装置７に対して、撮像開始までの残り秒数の音声データの出力制御を上述と同様に行えば良い。
【００６６】
またＳ１６０での撮像の際に、鏡台１に備えられた照明装置６を点灯・消灯させることで、いわゆるフラッシュとして利用することもできる。具体的には撮像装置２１が撮像を行うタイミングで（すなわち撮像を行う直前またはそれと同時に）、制御装置２０が照明装置６に対して点灯指示を送出することで実行できる。また上述のように、撮像装置２１が制御装置２０からの制御指示を受け取り、所定時間経過後に撮像を行う場合には、制御装置２０が照明装置６に対して所定時間経過後（撮像装置２１が制御指示を受け取ってから撮像を行うまでの時間と同じもしくはわずかに短い時間）に点灯指示を送出することが好ましい。なお撮像終了後には、照明装置６を消灯させる。
【００６７】
さらにＳ１６０での撮像の際に、鏡台１の下方に備えられた送風装置８から送風を行うことで、髪がなびく状態を撮像することもできる。好ましくは、撮像装置２１で撮像を行う際に髪がなびくように、撮像装置２１での撮像の開始前に、送風装置８が送風を開始していると良い。具体的には撮像装置２１が撮像を開始するよりも所定時間前（好ましくは、撮像を行う時点から、送風装置８から送風が開始される時間よりも前の時間）に、制御装置２０から送風装置８に対して、送風開始の制御指示を送出する。
【００６８】
たとえば携帯端末３０で撮像開始のボタンが押下されることで、携帯端末３０からの撮像開始の制御指示を、制御装置２０は通信装置１２を介して受信する。そして制御装置２０は、撮像装置２１に対して撮像を行う制御指示を送出する。この制御指示を受け取った撮像装置２１が５秒後に撮像を開始する設定の場合、その５秒よりも前（たとえば制御装置２０が撮像装置２１に対して撮像を行う制御指示を送出したタイミングと同じタイミング、あるいはその１秒後など）に、制御装置２０は、送風装置８に対して送風開始の制御指示を送出する。これによって、送風装置８は送風を開始する。一方、撮像装置２１は、上記の５秒間が経過すると、撮像を行う。送風装置８が送風を開始してからユーザに風が当たるまでには、若干の時間差（数秒の時間差）があるので、撮像装置２１で撮像を開始するよりも所定時間だけ前に、送風開始の制御指示を送出し、送風装置８を作動させることで、髪がなびいた状態で撮像が可能となる。換言すれば、撮像装置２１が撮像を開始するのに待機する時間としては、送風装置８から送風が開始されてからユーザに風が当たる時間よりも長い時間であることが好ましい。
【００６９】
また、通信装置１２を介して撮像開始の制御指示を受け取ってから５秒後（上記の所定時間の初期値）に撮像装置２１が撮像を行う場合には、次の通りとなる。まず、携帯端末３０で撮像開始のボタンが押下されることで、携帯端末３０からの撮像開始の制御指示を、制御装置２０は通信装置１２を介して受信する。そして制御装置２０は、この制御指示を受け取ることで、撮像装置２１に対して撮像を行う制御指示を送出するのを５秒間待機する。そして、制御装置２０は、その５秒より前（たとえば制御装置２０が撮像開始の制御指示を受け取ったタイミング、あるいはその１秒後など）に送風装置８に対して送風開始の制御指示を送出する。これによって、送風装置８は送風を開始する。そして制御装置２０は、上記の５秒間が経過すると、撮像装置２１に対して撮像を行う制御指示を送出する。この制御指示を受け取った撮像装置２１は、撮像を行う。撮像装置２１の撮像よりも前に送風装置８が作動しているので、髪がなびいた状態で撮像が可能となる。
【００７０】
いずれの場合においても、撮像終了後に、制御装置２０は、送風装置８に対して、送風終了の制御指示を送出し、その制御指示を受け取った送風装置８は、装置を停止し、送風を終了する。
【実施例２】
【００７１】
次に本発明の鏡台１の第２の実施態様を示す。第２の実施態様における鏡台１は、２つの異なる種類の鏡４、４ｂを備えている。具体的には、枠体２の一面に通常の鏡４、反対の面に左右反転鏡４ｂ（左右が反転して映る鏡）とする。図４に第２の実施態様における鏡台１の外観斜視図を模式的に示す。図５では第２の実施態様における鏡台１の外観側面図を模式的に示す。図６では第２の実施態様における鏡台１の上方からの外観図を模式的に示す。なお図４乃至図６における破線部分は、鏡４を示す。また図６における中心部分の破線は支持体３と枠体２とを連結する軸１３である。
【００７２】
図４乃至図６に示すように，本実施態様における鏡台１の枠体２には、その前面または後面に左右反転鏡４ｂを備えており、反対の面には通常の鏡４を備えている。左右反転鏡４ｂとはユーザに、相手から見たユーザの状態を見せることができる鏡（ユーザの左右が反転して映る鏡）であり、通常の鏡４はユーザに鏡像を見せる鏡である。左右反転鏡４ｂは少なくとも２枚の同じ大きさ（あるいはほぼ同じ大きさ）の鏡４ｂ１、４ｂ２と表面のガラス板４ｂ３とにより構成されていることが好ましい。２枚の鏡４ｂ１、４ｂ２は９０度で組み合わされており、表面のガラス板４ｂ３は斜辺を形成するように、２枚の鏡４ｂ１、４ｂ２と接合している。すなわち、２枚の鏡４ｂ１、４ｂ２と表面のガラス板４ｂ３とで直角二等辺三角形を形成するように配置されている。なお鏡４ｂ１、４ｂ２が接合する部分は、鏡４ｂ１、４ｂ２の接合部分が見えやすくなるので、鏡４ｂ１、４ｂ２とガラス板４ｂ３との間に水などの液体を充填しておくことで、接合部分が見えにくくなる。なお表面はガラス板４ｂ３に限られず、アクリル板やプラスチック板など、透過性のある板材を適宜、利用可能である。
【００７３】
枠体２には左右反転鏡４ｂを備える面と同じ面に、少なくとも撮像装置２１のレンズ５、照明装置６、送風装置８を備えることが好ましい。撮像装置２１では相手から見た状態の像を撮像する。そのため、左右反転鏡４ｂと撮像装置２１のレンズ５とが同じ面にあることによって、左右反転鏡４ｂで、撮像された画像と同じ状態でポーズを確認することができ、効果的である。一方、左右反転鏡４ｂだけでは、化粧を直すなどの日常用途には非常に不便である。そのため、枠体２において、左右反転鏡４ｂを備える面とは異なる面（好ましくは反対側の面）には鏡像を映す、通常の鏡４を備えておくことが良い。
【００７４】
枠体２は支持体３に固定されていても良いが、図４乃至図６に示すように、支持体３の上面中心付近および枠体２の底面には孔を設けておき、それぞれの孔に軸１３を通しても良い。すなわち、枠体２の底面と支持体３の上面とに軸１３を通し、枠体２を当該軸１３で支持する構造としても良い。また支持体３と枠体２との間にはわずかに間隙を設けることが好ましい。これによって、枠体２を軸１３で支えることができる。そのため、枠体２を軸１３を中心として回動させることが可能となる。
【実施例３】
【００７５】
また本発明の鏡台１のほかの実施態様として、図７に示すように、レンズ５を２つ設け、立体的に画像を表示するためのもととなる２つの画像（右目用画像、左目用画像）を撮像できるようにしても良い。具体的には図７に示すように、通常の鏡４を抱持する枠体２の面および／または左右反転鏡４ｂを抱持する枠体２の面と同一面に撮像装置２１のレンズ５を、所定間隔（レンズ離間距離）だけ離して２つのレンズ５を設ける。そしてこのレンズ離間距離を、２つのレンズ５で撮像したそれぞれの画像とともに、Ｓ１７０で制御装置２０が通信装置１２を介して携帯端末３０に送信する際に、併せて送信する。
【００７６】
携帯端末３０では、鏡台１の通信装置１２から受信した２つの画像やレンズ離間距離などを、所定のサーバ（図示せず）にインターネットなどのネットワークを介して送信する。この送信の際には、携帯端末３０で２つの画像を受信した場合に、自動的に予め定められたサーバに送信しても良いし、ユーザが２つの画像を選択し、送信する操作を行うことで、予め定められたサーバに送信しても良い。
【００７７】
携帯端末３０から２つの画像を受信するサーバは、当該携帯端末３０から受信した２つの画像などの情報に基づいて、３Ｄ画像を生成する処理を実行するサーバである。３Ｄ画像の生成処理にはいくつかの方法があるが、たとえばパララックスバリア方式（視差バリア方式）、レンティキュラ方式などの視差分割方式がその一例としてある。
【００７８】
サーバは、２つの画像をそれぞれ縦方向に所定の間隔で細長く分割し、それらを交互に組み合わせることで、３Ｄ画像を生成する。すなわち、右目用画像、左目用画像をそれぞれ所定間隔で縦方向に分割する。そして右目用画像の分割画像、左目用の分割画像、右目用画像の分割画像、左目用の分割画像、といったように、分割した右目用画像と左目用画像を、順に組み合わせて一つの画像として生成する。
【００７９】
ここでサーバが右目用画像、左目用画像を分割する所定間隔はいかなるものであっても良いが、携帯端末３０の表示装置に備えられる遮光バリアと同一周期である必要があり、遮光バリアの開口部も画像と同じである必要がある。従って、必要に応じて、携帯端末３０が２つの画像をサーバに送信する際に、携帯端末３０の機種などを識別することが可能な情報（携帯端末の識別情報など）をサーバにあわせて送信しても良い。これによって、携帯端末３０の機種によって異なる遮光バリアが備えられていても、サーバにおいて、どの周期を有する遮光バリアであるかを特定することができ（この場合、携帯端末３０の機種ごとに使用されている遮光バリアの周期の情報（３Ｄ画像を生成するために必要な情報）などをサーバで記憶しており、携帯端末の機種を識別する情報などに基づいて、それを特定する）、当該携帯端末３０に適した３Ｄ画像を生成することができる。
【００８０】
このようにして生成した３Ｄ画像を、当該サーバは、携帯端末３０にインターネットなどを介して送信する。そして受信した携帯端末３０で当該３Ｄ画像を表示することで、立体的な３Ｄ画像を表示することができる。なお視差分割方式を用いた場合、携帯端末３０の表示装置には、遮光バリアを備える必要がある。
【００８１】
遮光バリアを用いない場合には、レンティキュラ方式であってもよく、この場合には、表示装置にレンティキュラ方式で用いる、複数のシリンドリカルレンズを備えるシートが表示装置に備えられていても良い。
【００８２】
またサーバを用いずとも、携帯端末３０の記憶装置などに、上述の３Ｄ画像を生成する処理のプログラムを記憶させておき、携帯端末３０でそのプログラムを実行することによって、鏡台１から受信した２つの画像に基づいて、３Ｄ画像を生成しても良い。さらには、携帯端末３０に挿入可能な可搬型記憶媒体に２つの画像を記憶させ、上述の３Ｄ画像を生成する処理プログラムを記憶したコンピュータ端末に、当該可搬型記憶媒体を読み取らせることで、３Ｄ画像を生成しても良い。この場合、生成された３Ｄ画像は、可搬型記憶媒体に再度記憶され、それを携帯端末３０で読み込んでも良い。また、可搬型記憶媒体のほか、赤外線通信、ブルートゥースなどの無線通信、有線通信でサーバやコンピュータ端末と情報の送受信をしても良い。
【実施例４】
【００８３】
また本発明の鏡台１のほかの実施態様として、通信装置１２を赤外線通信やブルートゥースに限らず、インターネットでの通信が可能な通信装置１２としても良い。この場合、携帯端末３０からインターネットを介して鏡台１の通信装置１２にアクセスし、撮像装置２１を遠隔操作することも可能となる。この場合、認証情報としては、携帯端末識別情報のほか、ＩＤやパスワードであっても良い。これによって、鏡台１に備えられた撮像装置２１を遠隔操作して、いわゆる防犯カメラとして利用することもできる。
【実施例５】
【００８４】
また本発明の鏡台１を、デジタル体重計１４（以下、「体重計１４」という）と連動させてもよい。具体的には体重計１４で計測した体重の情報、体脂肪の情報、身長の情報などの人体計測情報を体重計１４から鏡台１に送信する構成としてもよい。そのため、体重計１４と鏡台１とでは有線または無線により通信が可能となっている。この際に体重計１４には鏡台１と通信するための通信装置（図示せず）が備えられており、鏡台１の通信装置１２と互いに情報の送受信が可能とする。
【００８５】
たとえば、下方に体重計１４があり、そこに体重計１４に対して垂直に支持部１５が接合される。そしてその支持部１５に鏡台１が接合されることで、図８に示すように、鏡台１とデジタル体重計１４との連動が可能となる。なおこの支持部１５を中空状の金属製のパイプとすることで、支持部１５の中に体重計１４と鏡台１との間で情報の送受信が可能なように通信線を通すことがよい。なおこの場合の鏡台１には支持体３を設けずとも良く、枠体２の底面に支持部１５を接合しても良い。
【００８６】
体重計１４にユーザが乗ると通常の方法により、体重、体脂肪、身長など、ユーザの人体について計測を行う。そして計測した人体計測情報を体重計１４の通信装置（図示せず）から鏡台１に有線または無線により送信する。人体計測情報を鏡台１の通信装置１２を介して受け取ると、制御装置２０は、撮像装置２１に対して撮像を行う制御指示を送出する。この撮像を行う制御指示を受けた撮像装置２１は、すぐに鏡台１のレンズ５で撮像する。そして撮像した画像は、制御装置２０が通信装置１２を介して、ユーザの携帯端末３０に送信する。この際に、日時情報、人体計測情報も併せて送られると良い。これによって、ユーザは日々の外見の変化を画像として記録することができる。
【００８７】
なお人体計測情報を体重計１４から鏡台１に送信することで鏡台１で撮像を行っても良いが、人体を計測中であることを示す情報を体重計１４から鏡台１に送信し、人体を計測中であることを示す情報を、鏡台１の制御装置２０で通信装置１２を介して受信すると、制御装置２０は、撮像装置２１に対して撮像を行う制御指示を送出するように構成しても良い。
【００８８】
自分撮りを行う場合（携帯端末３０から撮像指示を行う場合）には、上述のように、撮像ボタンが押下された後、すぐに撮像を行うのではなく、ポーズを取るために、所定時間経過した後に撮像を行うことが好ましい。しかし、体重計１４と連動させる場合には、体重計１４から人体計測情報（または計測中であることを示す情報）を受け取ると、それと同時またはほぼ同時に撮像装置２１で撮像が行うことがよい。これは、一般的に体重計１４で体重などを計測するときには、毎回、静止してほぼ同じ姿勢を取るので、その都度、ほぼ同じ構図で撮像することができ、日々の外見の変化を画像として記録に残すには好ましいからである。なお人体計測情報を体重計１４で計測し、人体計測情報（または計測中であることを示す情報）が体重計１４から鏡台１に送信され、人体計測情報（または計測中であることを示す情報）を、通信装置１２を介して鏡台１の制御装置２０で受け取ることで、撮像が自動的に開始されても良いし（すなわち撮像を行う制御指示を制御装置２０が撮像装置２１に送出する）、携帯端末３０から撮像ボタンを押下し、通信装置１２を介して鏡台１の制御装置２０で撮像開始の制御指示を受け取ることで、撮像が開始されても良い。
【実施例６】
【００８９】
上述の各実施例では、撮像装置２１のレンズ５は、枠体２の上方略中心部付近にあったが、その位置に限られず、たとえばレンズ５が枠体２から取り外しできても良い。この場合、レンズ５を備えた撮像装置２１が鏡台１から取り外し可能となっていてもよい。すなわち、撮像装置２１と鏡台１とは任意の構造で着脱可能となっている。撮像装置２１が取り外された状況においては、独立した撮像装置２１として利用可能となる。この実施態様における撮像装置２１は、鏡台１に取り付けられた状態において、任意の端子（図示せず）と接続されることで、各種の装置、たとえば制御装置２０からの制御指示に応じて撮像処理を実行し、あるいは撮像した画像を通信装置１２を介して、携帯端末３０に送信する。
【００９０】
撮像装置２１と鏡台１との着脱構造にはさまざまな方法を用いることが出来る。たとえば鏡台１の枠体２に、撮像装置２１が嵌合可能な大きさの凹部を設けておく。そして撮像装置２１を鏡台１に取り付ける場合には、当該凹部に撮像装置２１を嵌め込めばよい。凹部には、上述の端子（撮像装置２１と通信する端子）を設け、嵌合時に、撮像装置２１の端子と接続することで、通信が行える。そして、撮像装置２１を鏡台１から取り外す場合には、凹部から撮像装置２１をそのまま取り外せばよい。
【００９１】
また撮像装置２１と鏡台１との着脱構造の別の態様としては、撮像装置２１の任意の箇所、好ましくは背面に吸盤を取り付け、撮像装置２１の吸盤を鏡台１の鏡４に密着させることで固定しても良い。さらに、撮像装置２１と鏡台１との着脱構造の別の態様としては、撮像装置２１の下部に、撮像装置２１を自律して支持させるための支持構造、たとえばスタンドを備えておき、そのスタンドを鏡台１、特に枠体２の任意の箇所に取り付け可能とすることで、撮像装置２１を鏡台１に着脱可能に固定しても良い。これらの場合、撮像装置２１と、各種の装置との間の通信は、無線通信で行うことが好ましい。
【００９２】
以上のような撮像装置２１を用いる場合、既存の撮像機能を備えた撮像装置２１を用いることが出来、たとえば撮像機能付きの携帯端末や携帯用ゲーム機などを撮像装置２１とすることが出来る。この場合、撮像装置２１に上述の処理を実行するソフトウェアがあらかじめインストールされている。またこのソフトウェアは所定のサーバからダウンロードし、インストールしても良い。さらに、撮像装置２１に赤外線通信機能、ブルートゥース（２．４ＧＨｚ帯の短距離無線通信）機能などを備えている場合、鏡台２１の通信装置１２を介することなく、撮像装置２１で撮像した画像を、直接、携帯端末３０に送信しても良い。さらに、撮像指示も、鏡台１の制御装置２０を介することなく、直接、携帯端末３０から受け付け、撮像処理を実行しても良い。このような撮像装置２１とすることで、当該撮像装置２１をどのような鏡台（あるいは鏡）に取り付けることも出来、本発明と同様の効果を得ることが出来る。
【実施例７】
【００９３】
さらに、鏡４をハーフミラーとし、鏡４の裏面にレンズ５を取り付け、鏡４を透過してレンズ５で撮像できても良い。この場合、枠体２にはレンズ５を取り付けるレンズ用の孔部は不要となる。このように構成することで、鏡４の裏面から撮像できるので、視線を変更する必要がなくなる。
【００９４】
また、鏡４の任意の箇所（たとえば中心よりやや上方）にレンズ用の孔部を設け、そこにレンズ５を取り付けても良い。この場合、鏡４の表面にレンズ５を確認することができるが、撮像の際にはそこに視線を合わせやすくなるメリットがある。
【実施例８】
【００９５】
また本発明の鏡台１のほかの実施態様として、枠体２に備えられる送風装置８に代えて、あるいは送風装置８の機能の一部として、マイナスイオン発生装置を備えていても良い。
【実施例９】
【００９６】
上述の各実施態様における鏡台１は、それぞれが適宜組み合わされて構成されて良い。
【産業上の利用可能性】
【００９７】
上述の本発明の鏡台を用いることにより、従来の特許文献に記載の発明のように、表示装置を用いずとも、自分撮りを行う際の問題点、すなわち撮像範囲が手の届く範囲に限られる点、セルフタイマーの設定に負担がある点を解消することが可能となる。また表示装置を用いないので、安価に製作することもできる。鏡台１を用いることにより、従来の特許文献に記載の発明のように、表示装置を用いずとも、自分撮りを行う際の問題点、すなわち撮像範囲が手の届く範囲に限られる点、セルフタイマーの設定に負担がある点を解消することが可能となる。また表示装置を用いないので、安価に鏡台１を製作することもできる。
【符号の説明】
【００９８】
１：遠隔操作する撮像装置付きの鏡台
２：枠体
３：支持体
４：鏡
４ｂ：左右反転鏡
４ｂ１、４ｂ２：鏡
４ｂ３：ガラス板
５：レンズ
６：照明装置
７：音出力装置
８：送風装置
９：計時装置
１０：報知装置
１１：ＵＳＢ端子
１２：通信装置
１３：軸
１４：体重計
１５：支持部
２０：制御装置
２１：撮像装置
３０：携帯端末
【図１】
2012005110.tif 000003
【図２】
2012005110.tif 000004
【図３】
2012005110.tif 000005
【図４】
2012005110.tif 000006
【図５】
2012005110.tif 000007
【図６】
2012005110.tif 000008
【図７】
2012005110.tif 000009
【図８】
2012005110.tif 000010
【図９】
2012005110.tif 000011